(57)【要約】【課題】安価に多様な演出表現を行うことができる液晶表示パネル、及び、液晶表示装置を提供する。【解決手段】一対の対向する基板と、上記基板間に狭持された液晶層とを有する液晶表示パネルであって、上記液晶表示パネルは、画像表示領域と、上記画像表示領域とは相違する形態の画素を有する電飾表示領域とを備える液晶表示パネル、並びに、上記液晶表示パネルと、上記液晶表示パネルの後方に配置されたバックライトとを備える液晶表示装置である。【選択図】図１
2007256840.tif 000002
【特許請求の範囲】
【請求項１】
一対の対向する基板と、該基板間に狭持された液晶層とを有する液晶表示パネルであって、
該液晶表示パネルは、画像表示領域と、該画像表示領域とは相違する形態の画素を有する電飾表示領域とを備えることを特徴とする液晶表示パネル。
【請求項２】
前記液晶表示パネルは、少なくとも一方の基板にカラーフィルタを有し、
該カラーフィルタは、画像表示領域に配置され、かつ電飾表示領域に配置されないことを特徴とする請求項１記載の液晶表示パネル。
【請求項３】
前記電飾表示領域は、画像表示領域よりも画素サイズが大きいことを特徴とする請求項１記載の液晶表示パネル。
【請求項４】
請求項１〜３のいずれかに記載の液晶表示パネルと、該液晶表示パネルの後方に配置されたバックライトとを備えることを特徴とする液晶表示装置。
【請求項５】
前記液晶表示装置は、画像表示領域の最大輝度より、電飾表示領域の最大輝度の方が大きいことを特徴とする請求項４記載の液晶表示装置。
【請求項６】
前記バックライトは、導光板と、導光板の側方に配置された光源と、導光板及び光源間以外の光源の周辺領域に配置され、かつ液晶表示パネル側に透光部を有する反射板とを有し、
前記画像表示領域は、導光板の前方領域に配置され、
前記電飾表示領域は、光源の前方領域に配置されたことを特徴とする請求項４記載の液晶表示装置。
【請求項７】
前記光源は、白色発光を行うものであることを特徴とする請求項６記載の液晶表示装置。
【請求項８】
前記光源は、赤色発光ダイオード、緑色発光ダイオード及び青色発光ダイオードを含んで構成されることを特徴とする請求項６記載の液晶表示装置。
【請求項９】
前記バックライトは、光学シート及び光源を液晶表示パネル側からこの順に有し、
前記電飾表示領域は、光源に対向する前方領域に配置され、
該光学シートは、画像表示領域の後方の光透過率よりも電飾表示領域の後方の光透過率の方が大きいことを特徴とする請求項４記載の液晶表示装置。
【請求項１０】
前記光源は、白色発光を行うものであることを特徴とする請求項９記載の液晶表示装置。
【請求項１１】
前記電飾表示領域に対向する後方領域に配置された光源は、白色以外の発光を行うものであることを特徴とする請求項９記載の液晶表示装置。
【請求項１２】
前記バックライトは、光学シート及び光源を液晶表示パネル側からこの順に有し、
前記電飾表示領域は、光源に対向する前方領域に配置され、
該光学シートは、電飾表示領域の後方に配置されないことを特徴とする請求項４記載の液晶表示装置。
【請求項１３】
前記光源は、白色発光を行うものであることを特徴とする請求項１２記載の液晶表示装置。
【請求項１４】
前記電飾表示領域に対向する後方領域に配置された光源は、白色以外の発光を行うものであることを特徴とする請求項１２記載の液晶表示装置。
【発明の詳細な説明】
【技術分野】
【０００１】
本発明は、液晶表示パネル及び液晶表示装置に関する。より詳しくは、遊技機用の表示装置に好適な液晶表示パネル及び液晶表示装置に関するものである。
【背景技術】
【０００２】
近年、表示技術の発達にともなって、様々な形状・形態の表示装置が開発されている。例えば、パチンコ遊技機、回胴式遊技機（スロットマシン）等においては、盤面中央又は周囲に表示装置が設けられたものが普及してきており、表示画面上にて大当たり、リーチ等の遊技状態や遊技態様を遊技者に画像として表示している。このような表示装置を備えた遊技機においては、遊技と連動して、様々な演出を表示装置によって行うことができ、遊技者の興趣や興奮を高め、遊技機としての機能が向上されることになる。
【０００３】
また、パチンコ遊技機等においては、通常、表示装置の他に、ランプ、発光ダイオード（以下、「ＬＥＤ」ともいう。）等の発光素子が盤面に配置され、発光素子がスペシャルリーチ、大当たり等のイベントに合わせて点滅することによって、遊技者の興奮や遊技意欲を高めている。しかしながら、この演出用の発光素子（以下、「電飾」ともいう。）は、通常、多数配置されることから、遊技機のコストが上昇するという点で改善の余地があった。
【０００４】
一般に、パチンコ遊技機等に用いられる表示装置としては、薄型かつ高画質を有する液晶表示装置（以下、「ＬＣＤ」ともいう。）が利用される。遊技機に用いられるＬＣＤは、テレビ、パソコン用ディスプレー等に用いられるＬＣＤと同様に、通常、光のシャッター機能を有する液晶表示パネルの他に、バックライト等の光の供給源を備えることによって、画像表示を可能にしている。しかしながら、ＬＣＤを備えた遊技機においては、ＬＣＤ接続用の配線に加えて電飾接続用の配線が必要となるため、遊技機の構造が複雑になるという点で工夫の余地があった。
【０００５】
ここで、一般的なＬＣＤの構成について、図１２及び１３を用いて説明する。図１２は、従来のエッジライト型バックライトを備えたＬＣＤの断面を示す断面模式図である。ＬＣＤ２０８は、図１２に示すように、液晶表示パネル１０８と、導光板３、光源２８、反射板４８及び光学シート６８、ベゼル３８を備えたバックライト３０８とを有する。これにより、光源２８から発せられ、導光板３内を進行してきた光を、導光板３の背面部で表示画面側に反射させることによって、液晶表示パネル１０８に面状の光を供給することができる。このようなエッジライト型バックライトを備えたＬＣＤでは、表示装置の薄型化が可能である。
【０００６】
また、図１３は、従来の直下型バックライトを備えたＬＣＤの断面を示す断面模式図である。ＬＣＤ２０９は、図１３に示すように、液晶表示パネル１０９と、拡散シート７９、調光フィルム８９、光源２９、反射シート９９及びベゼル３９を備えたバックライト３０９とを有する。これにより、光源２９から発せられ、調光フィルム８９及び拡散シート７９を進行してきた光を、面上の光として直接液晶表示パネル１０９に供給することができる。このような直下型バックライトを備えたＬＣＤは、高い光利用効率を有する。
【０００７】
なお、ＬＣＤに関する技術において、線状光源からの射出光の一部を直接液晶表示パネルに照射することによって、表示画面の輝度を向上させる技術が開示されている（例えば、特許文献１参照。）。しかしながら、この技術は、車載用警告表示器に利用されることを主な目的としており、遊技機に関する技術ではなかった。また、特許文献１では、液晶表示パネルの形態の詳細について一切開示されていなかった。
【特許文献１】特開平１１−２８８６１４号公報
【発明の開示】
【発明が解決しようとする課題】
【０００８】
本発明は、上記現状に鑑みてなされたものであって、安価に多様な演出表現を行うことができる液晶表示パネル及び液晶表示装置を提供することを目的とするものである。
【課題を解決するための手段】
【０００９】
本発明者らは、安価に多様な演出表現を行うことができる液晶表示パネル及び液晶表示装置について種々検討したところ、液晶表示パネルの形態に着目した。そして、液晶表示パネルが、画像表示領域と、上記画像表示領域とは相違する形態の画素を有する電飾表示領域とを備え、また、液晶表示装置が、このような液晶表示パネルとバックライトとを備えることによって、画像表示用のみならず電飾等の用途にも同時に利用できる液晶表示パネルと、画像表示機能とともに電飾等としての機能も一体的に備える液晶表示装置とを実現できることを見いだし、上記課題をみごとに解決することができることに想到し、本発明に到達したものである。
【００１０】
すなわち、本発明は、一対の対向する基板と、上記基板間に狭持された液晶層とを有する液晶表示パネルであって、上記液晶表示パネルは、画像表示領域と、上記画像表示領域とは相違する形態の画素を有する電飾表示領域とを備える液晶表示パネル（以下、「本発明のパネル」ともいう。）である。
【００１１】
本発明はまた、本発明のパネルと、上記液晶表示パネルの後方に配置されたバックライトとを備える液晶表示装置（以下、「本発明のＬＣＤ」ともいう。）でもある。
以下に本発明のパネルを詳述する。
【００１２】
上記液晶表示パネルは、一対の対向する基板と、上記基板間に狭持された液晶層とを有する。このように本発明のパネルは、一般的な液晶表示パネルと同様の構成を有する。本発明のパネルの液晶モード、液晶駆動方式等の表示形式は特に限定されず、液晶モードとしては、ＴＮ型、ＳＴＮ型、ＩＰＳ型等が挙げられる。また、液晶駆動方式としては、単純マトリクス駆動方式、アクティブマトリクス駆動方式等が挙げられるが、高精細な画像を表示する観点からアクティブマトリクス駆動方式が好適である。すなわち、本発明のパネルは、アクティブマトリクス型液晶表示パネルであることが好ましい。
【００１３】
本発明のパネルをアクティブマトリクス型液晶表示パネルとした場合には、上記基板の一方は、スイッチング素子及び画素電極がマトリクス状に配置されることが好ましく、上記基板の他方は、共通電極及びカラーフィルタを有することが好ましい。スイッチング素子としては、３端子素子（トランジスタ）、２端子素子（ダイオード）等が挙げられるが、なかでも薄膜トランジスタ（以下、「ＴＦＴ」ともいう。）が好適である。なお、液晶モードをＩＰＳ型等とした場合には、上記他方の基板は、共通電極を有する必要はない。
【００１４】
一方、本発明のパネルを単純マトリクス型液晶表示パネルとした場合には、上記対向する基板は、通常、ストライプ状の信号電極（列電極）が設けられた一方の基板と、上記信号電極と直交するようにストライプ状の走査電極（行電極）が設けられた他方の基板との組み合わせである。
【００１５】
上記液晶表示パネルは、画像表示領域と、上記画像表示領域とは相違する形態の画素を有する電飾表示領域とを備える。相違する形態の画素を有するとは、画像表示領域と電飾表示領域とで、各画素の大きさ（画素サイズ）、カラーフィルタの有無等の表示に関わる構成が異なることを意味する。すなわち、本発明のパネルは、互いに異なる形態を有する画素を一体的に有する。したがって、画像表示領域を画像表示に適した形態とし、電飾表示領域を電飾表示に適した形態とすることができるので、安価に多様な演出表現を行うことができる液晶表示パネルを実現することができる。なお、画像表示領域は、文字、絵柄、記号等の画像を表示する領域であり、遊技状態、遊技態様、演出画面等の種々の遊技情報を遊技者に表示することができる。電飾表示領域は、電飾を点滅する等の装飾的な表示を行う領域であり、演出効果を遊技者に与えることができる。しかしながら、本発明のパネルにおいて、画像表示領域と電飾表示領域とは、互いに画素の形態が異なればよいことから、電飾表示領域は、装飾的な表示以外にも画像等の表示を行ってもよい。
【００１６】
画像表示領域の大きさは特に限定されないが、画像表示が可能な程度の大きさであることが好ましく、具体的には、市場にあるものから考えると３インチ以上であることが好ましい。また、電飾表示領域の大きさも特に限定されないが、電飾としての効果が得られる程度の大きさであることが好ましく、より具体的には、電飾表示領域は、目視で確認でき、画像表示領域よりも輝度が高いことが望ましい。
【００１７】
電飾表示領域の配置形態としては特に限定されず、（１）画像表示領域の周縁領域に配置される形態、（２）画像表示領域を分断するように配置される形態、（３）画像表示領域内に配置される形態等が挙げられ、（１）の形態としては、画像表示領域が四角形である場合には、画像表示領域の少なくとも１つの辺の側方に配置される形態等が挙げられ、（２）の形態としては、画像表示領域が四角形である場合には、画像表示領域を上下又は左右に二分割するように配置される形態、画像表示領域を４つの四角形に四分割するように配置される形態等が挙げられ、（３）の形態としては、画像表示領域内に１つの電飾表示領域が配置される形態、画像表示領域内に複数の電飾表示領域が配置される形態等が挙げられるが、なかでも、四角形である画像表示領域の少なくとも１つの辺の側方に配置される形態が好ましい。これにより、本発明のパネルは、画像表示と電飾表示とを効果的に両立することができる。
【００１８】
上記画像表示領域及び電飾表示領域における液晶モード、液晶駆動方式等の表示形式は特に限定されないが、各領域は同一の表示形式を有することが好ましく、なかでも画像表示領域及び電飾表示領域は同一の液晶モード及び液晶駆動方式を有することがより好ましい。これにより、本発明のパネルを容易に作製することができる。また、画像表示領域は、画像表示を行うことから、画像表示領域における各画素は、同様の形態を有することが好ましい。一方、電飾表示領域は、電飾を点滅する等の装飾的な表示を行えればよいことから、電飾表示領域における各画素は、同様の形態を有してもよいし、有さなくてもよい。
【００１９】
本発明のパネルの構成としては、このような構成要素を必須として形成されるものである限り、その他の構成要素を含んでいても含んでいなくてもよく、特に限定されるものではない。その他の構成要素としては、例えば、偏光板、位相差板等の光学部材、スペーサ、シール材、ブラックマトリクス、配向膜等が挙げられ、これらは必要に応じて適宜配置されることが好ましい。
本発明のパネルにおける好ましい形態について以下に詳しく説明する。
【００２０】
上記液晶表示パネルは、少なくとも一方の基板にカラーフィルタを有し、上記カラーフィルタは、画像表示領域に配置され、かつ電飾表示領域に配置されないことが好ましい。これにより、画像表示領域において、カラー表示を行うことができる。また、電飾表示領域において、透過する光の輝度を大きくすることができるので、電飾表示領域の電飾としての機能を向上することができる。
【００２１】
上記カラーフィルタの色、色数等は特に限定されないが、画像表示領域においてカラー表示を適切に行う観点から、カラーフィルタは、赤色、緑色及び青色のフィルタを含んで構成されることが好ましい。また、液晶表示パネルの製造工程を簡略化する観点から、上記液晶表示パネルは、一方の基板にカラーフィルタを有することが好ましい。
【００２２】
画像表示領域の画素サイズとしては特に限定されないが、高精細な画像表示を行う観点から、μｍオーダーであることが好ましく、具体的には、画素ピッチが１ｍｍ以下であることが好ましく、画素ピッチが５００μｍ以下であることがより好ましい。また、電飾表示領域の画素サイズも特に限定されないが、電飾表示領域形成時の不良発生を効果的に抑制する観点から、本発明のパネルにおいて、上記電飾表示領域は、画像表示領域よりも画素サイズが大きいことが好ましく、具体的には、電飾表示領域の画素ピッチは、画像表示領域の画素ピッチの２倍以上であることが好ましい。また、本発明のパネルの設計を容易にする観点から、電飾表示領域の画素ピッチは、画像表示領域の画素ピッチのＮ倍以上（Ｎは１以上の整数）であることがより好ましい。電飾表示領域の画素は、電飾として機能するために必要な最低限の画素サイズを有すればよいことから、このように電飾表示領域の画素サイズを画像表示に適した高精細な画素サイズよりも大きくすることができる。
【００２３】
なお、本明細書において、画素サイズとは、アクティブマトリクス型液晶表示パネルにおいては、１つのスイッチング素子によって制御される画素電極が配置される領域によって規定される。また、単純マトリクス型液晶表示パネルにおいては、ストライプ状の信号電極と走査電極とが交差する領域（重複する領域）によって規定される。また、画素ピッチとは、隣り合う画素の中心点同士を結ぶ距離によって規定される。更に、カラーフィルタが形成された領域において、画素とは、１つの色のフィルタを含む領域、いわゆる副画素を意味する。
以下に本発明のＬＣＤを詳述する。
【００２４】
本発明のＬＣＤは、本発明のパネルと、上記本発明のパネルの後方に配置されたバックライトとを備える。このように本発明のＬＣＤは、画像表示領域と、電飾表示領域とを有することから、安価に多様な演出表現を行うことができるＬＣＤを実現することができる。したがって、本発明のＬＣＤは、遊技機用の表示装置に好適である。なお、後方とは、表示画面側、すなわち遊技者が視認する側と反対側のことを意味する。また、バックライトとは、液晶表示パネルを照射する装置のことを意味し、光源、光学シート等の構成要素から構成されるものである。
【００２５】
本発明のＬＣＤの構成としては、このような構成要素を必須として形成されるものである限り、その他の構成要素を含んでいても含んでいなくてもよく、特に限定されるものではない。その他の構成要素としては、例えば、各種ドライバ、電源回路等を備えた回路基板、ベゼル等が挙げられ、これらは必要に応じて適宜設計及び配置されることが好ましい。
本発明のＬＣＤにおける好ましい形態について以下に詳しく説明する。
【００２６】
本発明のＬＣＤは、画像表示領域の最大輝度より、電飾表示領域の最大輝度の方が大きいことが好ましく、具体的には、電飾表示領域の最大輝度は、画像表示領域の最大輝度の１０倍以上であることが好ましく２０倍以上であることがより好ましい。これにより、電飾表示領域に遊技者の注意を引くことができるので、本発明のＬＣＤの電飾としての機能を向上させることができる。
なお、本明細書において、最大輝度は、液晶表示パネル面上、かつ液晶表示パネル面法線方向の最大輝度を意味し、市販の輝度計を用いて暗室にて測定することができる。
【００２７】
本発明のＬＣＤにおいて、バックライトの方式は特に限定されないが、汎用性の観点から、直下型バックライト又はエッジライト型（サイドライト型）バックライトであることが好ましい。
【００２８】
本発明のＬＣＤがエッジライド型バックライトを備える場合には、上記バックライトは、導光板と、導光板の側方に配置された光源と、導光板及び光源間以外の光源の周辺領域に配置され、かつ液晶表示パネル側に透光部を有する反射板とを有し、上記画像表示領域は、導光板の前方領域に配置され、上記電飾表示領域は、光源の前方領域に配置された形態（以下、「第１形態」ともいう。）であることが好ましい。すなわち、上記バックライトは、一般的なエッジライト型バックライトと同様の形態を有することが好ましい。ただし、上記第１形態では、光源の周囲を導光板とそれ自身とで取り囲むように配置される反射板は、液晶表示パネル側に透光部を有する。これにより、導光板を経由した面状の光により画像表示領域を照射し、反射板の透光部から直接射出される光により画像表示領域を照射することができる。また、反射板の透光部から射出される光は、導光板を経由しないことから、より大きな輝度を有することができ、その結果として、電飾表示領域の電飾としての機能を向上することができる。なお、前方領域とは、導光板又は光源の表示画面側、すなわち遊技者が視認する側の領域を意味する。
【００２９】
上記透光部の形態としては特に限定されず、反射板が液晶表示パネル側に開口を有する形態、反射板が液晶表示パネル側に透明な領域を有する形態、液晶表示パネル側に反射板が形成されない形態等が挙げられる。また、光源の配置場所としては、導光板の平面形状が四角形である場合には、導光板の一辺の側方に配置される形態、導光板の対向する二辺の側方に配置される形態、導光板の隣り合う二辺の側方に配置される形態、導光板の三辺の側方に配置される形態、導光板の全ての辺の側方に配置される形態等が挙げられる。なお、平面形状とは、バックライトの発光面と略平行な面の形状を意味する。
【００３０】
第１形態において、上記光源は、白色発光を行うものであってもよい。この場合は、電飾表示領域にカラーフィルタを配置し、電飾表示領域において種々の色発生が可能となる。また、第１形態において、光源が白色発光を行い、電飾表示領域にカラーフィルタを配置しなかった場合は、カラーフィルタが低透過率であるため、電飾表示領域において高輝度の発光が可能となる。白色発光を行う光源としては特に限定されないが、白色冷陰極型蛍光ランプ（以下、「ＣＣＦＴ」ともいう。）、白色ＬＥＤが好適である。
【００３１】
第１形態において、上記光源は、赤色発光ダイオード、緑色発光ダイオード及び青色発光ダイオードを含んで構成されることが好ましく、電飾表示領域にカラーフィルタを配置しない形態のＬＣＤに好適である。このように、電飾表示領域にカラーフィルタを配置せず、光源が赤色発光ダイオード、緑色発光ダイオード及び青色発光ダイオードを含んで構成される場合は、電飾表示領域におけるカラー発光が可能となり、演出効果を向上する。また、電飾表示領域にカラーフィルタを配置しないことによって、電飾表示領域において高輝度が得られることから、本発明のＬＣＤの電飾としての機能を向上することができる。なお、赤色、緑色及び青色は、光の３原色であることから、導光板を経由した面状の光は、３原色の混色である白色となり、画像表示領域は通常の白色の光により照射されることになる。赤色、緑色及び青色ＬＥＤの配置形態は特に限定されないが、各色の光を混色し、導光板を経由する面状の光を充分に白色にする観点から、赤色、緑色及び青色ＬＥＤが、順に配置されることが好ましい。また、同様の観点から、各色ＬＥＤ間の間隔と、各色ＬＥＤ及び導光板間の間隔とを適宜設定することが好ましい。
【００３２】
本発明のＬＣＤが直下型バックライトを備える場合には、上記バックライトは、光学シート及び光源を液晶表示パネル側からこの順に有し、上記電飾表示領域は、光源に対向する前方領域に配置され、上記光学シートは、画像表示領域の後方の光透過率よりも電飾表示領域の後方の光透過率の方が大きい形態（以下、「第２形態」ともいう。）であることが好ましい。すなわち、上記バックライトは、一般的な直下型バックライトと同様の形態を有することが好ましい。ただし、上記第２形態では、電飾表示領域の後方領域に配置された光学シート（以下、「第２光学シート」ともいう。）の光透過率は、画像表示領域の後方領域に配置された光学シート（以下、「第１光学シート」ともいう。）の光透過率よりも大きく、具体的には、第２光学シートの光透過率は、第１光学シートの光透過率の１０倍以上であることが好ましく、２０倍以上であることがより好ましい。このように、透過率の小さな第１光学シートを透過した光により画像表示領域を照射し、透過率の大きな第２光学シートを透過した光により電飾表示領域を照射することによって、画像表示に適した指向性、均一性等の光学特性を有する光を画像表示領域に供給できるとともに、高輝度な光を電飾表示領域に供給することができる。その結果として、本発明のＬＣＤは、電飾表示領域の電飾としての機能を向上することができる。なお、後方領域とは、画像表示領域又は電飾表示領域の表示画面側と反対側、すなわち遊技者が視認する側と反対側の領域を意味する。また、「電飾表示領域は、光源に対向する前方領域に配置される」とは、電飾表示領域は、光源の前方領域に配置され、かつ表示画面側から見たときに、電飾表示領域と光源とが重複することを意味する。
【００３３】
上記光学シートは、光の光学特性を変化させるものであれば特に限定されず、調光シート、拡散シート、プリズムシート、レンズシート等が挙げられ、これらの積層体であってもよい。また、光透過率は、ＪＩＳ  Ｋ  ７１０５の測定方法に基づき算出することができる。
【００３４】
上記第１及び第２光学シートの光透過率としては、第２光学シートの光透過率が第１光学シートの光透過率よりも大きければ特に限定されない。
【００３５】
第２形態において、上記光源は、白色発光を行うものであってもよい。この場合は、電飾表示領域にカラーフィルタを配置し、電飾表示領域において種々の色発生が可能となる。また、第２形態において、光源が白色発光を行い、電飾表示領域にカラーフィルタを配置しなかった場合は、カラーフィルタが低透過率であるため、電飾表示領域において高輝度の発光が可能となる。白色発光を行う光源としては特に限定されないが、白色ＣＣＦＴ、白色ＬＥＤが好適である。
【００３６】
第２形態において、上記電飾表示領域に対向する後方領域に配置された光源は、白色以外の発光を行うものであることが好ましく、電飾表示領域にカラーフィルタを配置しない形態のＬＣＤに好適である。これにより、電飾表示領域にカラーフィルタを配置しない場合でも、電飾表示領域における種々の色でカラー発光が可能となり、演出効果を更に向上することができとともに、カラーフィルタを配置しないことによって、電飾表示領域において高輝度が得られることから、本発明のパネルの電飾としての機能をより向上することができる。白色以外の発光を行う光源としては特に限定されず、赤色発光ダイオード、緑色発光ダイオード、青色発光ダイオード等の種々の色の光源が挙げられるが、なかでも赤色発光ダイオード、緑色発光ダイオード及び青色発光ダイオードを含んで構成され、かつ赤色発光ダイオード、緑色発光ダイオード及び青色発光ダイオードが順に配置されることが好ましい。これにより、画像表示領域における着色を抑制することができる。また、第２形態において、光源が点状光源を含んで構成される場合には、電飾表示領域は、点状光源に対向する前方領域に配置されることが好ましい。
【００３７】
また、本発明のＬＣＤが直下型バックライトを備える場合には、上記バックライトとしては、光学シート及び光源を液晶表示パネル側からこの順に有し、上記電飾表示領域は、光源に対向する前方領域に配置され、上記光学シートは、電飾表示領域の後方に配置されない形態（以下、「第３形態」ともいう。）も好適である。すなわち、上記バックライトは、一般的な直下型バックライトと同様の形態を有することが好ましい。ただし、上記第３形態では、光学シートは、電飾表示領域に対向する領域に配置されず、画像表示領域に配置される。このように、光学シートを透過した光により画像表示領域を照射し、光源から射出された光により電飾表示領域を直接照射することによって、画像表示に適した指向性、均一性等の光学特性を有する光を画像表示領域に供給できるとともに、高輝度な光を電飾表示領域に供給することができる。
【００３８】
第３形態において、上記光源は、白色発光を行うものであってもよい。この場合は、電飾表示領域にカラーフィルタを配置し、電飾表示領域において種々の色発生が可能となる。また、第３形態において、光源が白色発光を行い、電飾表示領域にカラーフィルタを配置しなかった場合は、カラーフィルタが低透過率であるため、電飾表示領域において高輝度の発光が可能となる。白色発光を行う光源としては特に限定されないが、白色ＣＣＦＴ、白色ＬＥＤが好適である。
【００３９】
第３形態において、上記電飾表示領域に対向する後方領域に配置された光源は、白色以外の発光を行うものであることが好ましく、電飾表示領域にカラーフィルタを配置しない形態のＬＣＤに好適である。これにより、第２形態の場合と同様に、電飾表示領域にカラーフィルタを配置しない場合でも、電飾表示領域における種々の色でカラー発光が可能となり、演出効果を更に向上することができとともに、カラーフィルタを配置しないことによって、電飾表示領域において高輝度が得られることから、本発明のパネルの電飾としての機能をより向上することができる。白色以外の発光を行う光源としては特に限定されず、赤色発光ダイオード、緑色発光ダイオード、青色発光ダイオード等の種々の色の光源が挙げられるが、なかでも赤色発光ダイオード、緑色発光ダイオード及び青色発光ダイオードを含んで構成され、かつ赤色発光ダイオード、緑色発光ダイオード及び青色発光ダイオードが順に配置されることが好ましい。これにより、画像表示領域における着色を抑制することができる。また、第３形態において、光源が点状光源を含んで構成される場合には、電飾表示領域は、点状光源に対向する前方領域に配置されることが好ましい。
【発明の効果】
【００４０】
本発明の液晶表示パネル及び液晶表示装置によれば、画像表示用のみならず電飾等の用途にも同時に利用できる液晶表示パネルと、画像表示機能とともに電飾等としての機能も一体的に備える液晶表示装置とを実現できることから、安価に多様な演出表現を行うことができる。
【発明を実施するための最良の形態】
【００４１】
以下に実施形態を掲げ、本発明を図面を参照して更に詳細に説明するが、本発明はこれらの実施形態のみに限定されるものではない。
【００４２】
（実施形態１）
図１〜５を用いて、本発明に係る実施形態１の液晶表示パネルについて説明する。
図１は、本実施形態の液晶表示パネルを示す上面模式図である。なお、図１において、破線は、電飾表示領域Ｂ１における各画素の境界線を示し、画像表示領域Ａ１中の数字は、図柄を示す。本実施形態の液晶表示パネル１０１は、図１に示すように、同一液晶表示パネル内に、画像表示用として利用される画像表示領域Ａ１と、電飾として利用される電飾表示領域Ｂ２とを有する。液晶表示パネル１０１は、画像表示領域Ａ１において、大当たり、リーチ等の遊技状態や遊技態様を画像表示し、一方、電飾表示領域Ｂ１において、電飾を表示する。
【００４３】
液晶表示パネル１０１は、ＴＮモードのアクティブマトリクス型液晶表示パネルであり、画像表示領域Ａ１は、マトリクス状に配置された画像表示用画素を有する。一方、電飾表示領域Ｂ１は、一列に配置された電飾用画素１１ｂを有する。各画像表示用画素と電飾用画素１１ｂとは、スイッチング素子であるＴＦＴ、画素電極、容量電極等を有する基板と、カラーフィルタ、共通電極、ブラックマトリクス等を有する対向基板と、両基板に狭持された液晶層とを含んで構成される。このように、液晶表示パネル１０１における各画素は、通常の画像表示用の液晶表示パネルと同様の構成を有する。ただし、画像表示領域Ａ１の画像表示用画素と、電飾表示領域Ｂ１の電飾用画素１１ｂとの形態は異なっている。具体的には、電飾用画素１１ｂには、カラーフィルタが配置されておらず、更に電飾用画素１１ｂの画素サイズは、画像表示用画素の画素サイズに比べて大きくなっている。このように、カラーフィルタレス化することによって、電飾表示領域Ｂ１における表示を高輝度化できるので、電飾表示領域Ｂ１の電飾としての機能を向上させることができる。また、画素サイズを大きくすることによって、電飾表示領域Ｂ１を形成する際の不良発生を効果的に抑制することができる。
【００４４】
スイッチング素子としては特に限定されず、ＴＦＴの他にＭＩＭ（Ｍｅｔａｌ−Ｉｎｓｕｌａｔｏｒ−Ｍｅｔａｌ）型ダイオード等を用いてもよい。画素電極及び透明電極の材質としては、ＩＴＯ（Ｉｎｄｉｕｍ  Ｔｉｎ  Ｏｘｉｄｅ）等が挙げられる。カラーフィルタの形態としては、赤色フィルタ、緑色フィルタ及び青色フィルタからなる３色のフィルタを用いたストライプ配列等が挙げられる。液晶層は、液晶分子を含有すればよく、液晶分子としては、正の異方性誘電率を有するネマチック液晶等が挙げられる。また、両基板の外側には、各々偏光板（図示せず）が配置され、少なくともいずれか一方の基板と偏光板との間に位相差板（図示せず）が配置されてもよい。
【００４５】
ここで、本実施形態の液晶表示パネルと従来の液晶表示パネルとにおける画素の形態について更に詳しく説明する。
図２（ａ）は、従来の液晶表示パネルの画像表示領域における画素の配列を示す概念図であり、（ｂ）は、従来の液晶表示パネルの画像表示領域における回路図である。図３（ａ）は、本実施形態の液晶表示パネルの画像表示領域及び電飾表示領域における画素の配列を示す概念図であり、（ｂ）は、本実施形態の液晶表示パネルの画像表示領域及び電飾表示領域における回路図である。なお、図２及び図３において、破線で囲まれた領域は、画像表示領域Ａ１を示し、二点鎖線で囲まれた領域は、電飾表示領域Ｂ１を示す。
【００４６】
まず、従来の液晶表示パネルにおける画素の配置形態について説明する。
図２（ａ）に示すように、従来の液晶表示パネル１００は、画像表示領域Ａ１において、行方向（図２中、横方向）にｎ個（ｎ：１以上の任意の整数）、列方向（図２中、縦方向）にｍ個（ｍ：１以上の任意の整数）の画像表示用画素１１ａがマトリクス状に配置されており、これらの画像表示用画素１１ａの全てが画像表示のために利用される。
【００４７】
次に、従来の液晶表示パネルにおけるＴＦＴの配置形態について説明する。
図２（ｂ）に示すように、画像表示領域Ａ１におけるｎ×ｍ個の各画像表示用画素１１ａに対応して、ソース配線Ｓ１、Ｓ２、・・・、Ｓｎ及びゲート配線Ｇ１、Ｇ２、・・・、Ｇｍが格子状に配置されている。各ソース配線及びゲート配線が交わる付近にはＴＦＴ１が配置され、各ソース配線及びゲート配線に接続されている。また、各ＴＦＴ１には、画素電極、液晶層及び共通電極からなる液晶容量ＣＬＣと容量電極からなる蓄積容量ＣＣＳとが接続されている。このようにＴＦＴ１を各画像表示用画素１１ａに個別に設けることによって、液晶表示パネルのアクティブマトリクス駆動を可能にしている。
【００４８】
次に、本実施形態の液晶表示パネルにおける画素の配置形態と、ＴＦＴの配置形態とについて説明する。
図３（ａ）に示すように、本実施形態の液晶表示パネル１０１は、画像表示領域Ａ１においては、従来の液晶表示パネルと同様に、ｎ×ｍ個の画像表示用画素１１ａがマトリクス状に配置されている。一方、電飾表示領域Ｂ１においては、画像表示領域Ａ１の３つの画像表示用画素１１ａに対応して、１つの電飾用画素１１ｂが１列に配置されている。すなわち、行方向にｎ／３個、列方向に１個の画素が直線状に配置されている。
【００４９】
また、ＴＦＴの配置形態については、図３（ｂ）に示すように、画像表示領域Ａ１においては、従来の液晶表示パネルと同様に、ソース配線Ｓ１、Ｓ２、・・・、Ｓｎ、ゲート配線Ｇ１、Ｇ２、・・・、Ｇｍ及びＴＦＴ１が配置されている。一方、電飾表示領域Ｂ１においては、ゲート配線Ｇｍの隣にゲート配線Ｇｐが加えられ、更にソース配線Ｓ１、Ｓ４、・・・、Ｓｎ−２が電飾表示領域Ｂ１に延伸され、ゲート配線Ｇｐと交わる付近にＴＦＴ１が配置されている。すなわち、ソース配線Ｓ１、Ｓ２、・・・、Ｓｎのうち３本に１本が電飾表示領域Ｂ１に延伸され、ＴＦＴ１と接続されている。このように、画像表示領域Ａ１のソース配線の一部を電飾表示領域Ｂ１のＴＦＴ１に接続することによって、画像表示領域Ａ１の画像表示用画素１１ａと電飾表示領域Ｂ１の電飾用画素１１ｂとを一体的に形成することができる。
【００５０】
次に、本実施形態の液晶表示パネルと従来の液晶表示パネルとにおける画素の動作原理について説明する。
まず、図４を用いて、従来の液晶表示パネルにおける画素の動作原理について説明する。図４は、従来の液晶表示パネルにおけるソース配線Ｓ１、Ｓ２、・・・、Ｓｎに印加される映像信号と、ゲート配線Ｇ１、Ｇ２、・・・、Ｇｍに印加される同期信号との電圧波形の経時変化を示すタイミングチャートの模式図である。なお、図４において、Ｓ１、Ｓ２、・・・、Ｓｎ及びＧ１、Ｇ２、・・・、Ｇｍは、図２（ｂ）で示したソース配線Ｓ１、Ｓ２、・・・、Ｓｎ及びゲート配線Ｇ１、Ｇ２、・・・、Ｇｍに対応した映像信号及び同期信号である。
【００５１】
図４に示すように、従来の液晶表示パネルにおいては、ＴＦＴの閾値電圧よりも充分に大きな一定の電圧値を有する同期信号が、ゲート配線Ｇ１からＧｍに順次印加される。そして、各ゲート配線Ｇ１、Ｇ２、・・・、Ｇｍに印加される同期信号に合わせて、各ソース配線Ｓ１、Ｓ２、・・・、Ｓｎに任意の電圧値を有する映像信号ＰＳ／Ｇ１、ＰＳ／Ｇ２、・・・、ＰＳ／Ｇｍが印加される。なお、図４、５及び７において、ＰＳ／Ｇ１、ＰＳ／Ｇ２、・・・、ＰＳ／Ｇｍは、各ゲート配線Ｇ１、Ｇ２、・・・、Ｇｍに接続された画素を制御するための映像信号を意味する。このように、従来の液晶表示パネルにおいては、通常、線順次走査によって各画素が制御されている。
【００５２】
次に、本実施形態の液晶表示パネルにおける画素の動作原理について説明する。
図５は、図３で示した本実施形態の液晶表示パネルにおけるソース配線Ｓ１、Ｓ２、・・・、Ｓｎに印加される映像信号と、ゲート配線Ｇ１、Ｇ２、・・・、Ｇｍ、Ｇｐに印加される同期信号との電圧波形の経時変化を示すタイミングチャートの模式図である。なお、図５において、Ｓ１、Ｓ２、・・・、Ｓｎ及びＧ１、Ｇ２、・・・、Ｇｍ、Ｇｐは、図３（ｂ）で示したソース配線Ｓ１、Ｓ２、・・・、Ｓｎ及びゲート配線Ｇ１、Ｇ２、・・・、Ｇｍ、Ｇｐに対応した映像信号及び同期信号である。
【００５３】
図５に示すように、本実施形態の液晶表示パネルにおいても、従来の液晶表示パネルと同様に、線順次走査によって各画素を制御することができる。すなわち、ゲート配線Ｇｍに続いて、電飾表示領域にあるゲート配線Ｇｐに同期信号が印加され、それに合わせて、各ソース配線Ｓ１、Ｓ２、・・・、Ｓｎに電飾表示領域の画素を制御するための映像信号ＰＳ／Ｇｐが印加されることによって、画像表示領域Ａ１及び電飾表示領域Ｂ１の各画素を一体的に制御することができる。なお、映像信号ＰＳ／Ｇｐは、電飾表示領域Ｂ１に延伸されたソース配線Ｓ１、Ｓ４、・・・、Ｓｎ−２にのみ印加されてもよい。
【００５４】
本実施形態の液晶表示パネルによれば、画像表示領域と、高輝度な表示が可能である電飾表示領域とを一体的に有することから、安価に多様な演出表現を行うことができる。
【００５５】
なお、本実施形態の液晶表示パネル１０１では、３つの画像表示用画素１１ａに対して、電飾用画素１１ｂを１つ配置している。しかしながら、その他、所望の液晶表示パネルレイアウトに合わせて、電飾用画素１１ｂのサイズは適宜設計することができ、例えば、電飾表示領域Ｂ１が１つの電飾用画素１１ｂのみからなる形態でもよい。また、電飾表示領域Ｂ１内において各電飾用画素１１ｂのサイズが異なっていてもよい。更に、電飾表示領域Ｂ１は、上方、すなわちゲート配線Ｇ１側に配置してもよく、この場合には、電飾用画素１１ｂのゲート配線Ｇｐをゲート配線Ｇ１の前に配置すればよい。
【００５６】
また、本実施形態の液晶表示パネルは、従来の液晶表示パネルの製造方法を用いて容易に作製することができる。すなわち、従来の液晶表示パネルの製造工程における各構成要素のパターニングマスクの態様を、本実施形態の液晶表示パネルにおける画素の形態に合わせて、適宜変更するだけでよい。
【００５７】
（実施形態２）
図６を用いて、本発明に係る実施形態２の液晶表示パネルについて説明する。実施形態２の液晶表示パネルは、実施形態１と電飾表示領域における画素の形態が異なるだけなので、実施形態１及び実施形態２で重複する内容については説明を省略する。図６（ａ）は、本実施形態の液晶表示パネルの画像表示領域及び電飾表示領域における画素の配列を示す概念図であり、（ｂ）は、本実施形態の液晶表示パネルの画像表示領域及び電飾表示領域における回路図である。なお、図６において、破線で囲まれた領域は、画像表示領域Ａ１を示し、二点鎖線で囲まれた領域は、電飾表示領域Ｂ２を示す。
【００５８】
本実施形態の液晶表示パネル１０２は、図６（ａ）に示すように、実施形態１と同様の画像表示領域Ａ１と、画像表示領域Ａ１の側方に配置された電飾表示領域Ｂ２とを有する。そして、液晶表示パネル１０２は、電飾表示領域Ｂ２において、画像表示領域Ａ１の２つの画像表示用画素１１ａに対応して、１つの電飾用画素１２ｂが１列に配置されている。すなわち、列方向にｍ／２個、行方向に１個の画素が直線状に配置されている。このように本実施形態の液晶表示パネル１０２と、実施形態１の液晶表示パネル１０１とは、電飾表示領域の画素の配置場所と画素サイズとが異なっている。
【００５９】
ＴＦＴの配置形態については、図６（ｂ）に示すように、電飾表示領域Ｂ２において、ソース配線Ｓｎの隣にソース配線Ｓｐが加えられ、更にゲート配線Ｇ１、Ｇ３、・・・、Ｇｍ−１が電飾表示領域Ｂ２に延伸され、ソース配線Ｓｐと交わる付近にＴＦＴ１を配置されている。すなわち、ゲート配線Ｇ１、Ｇ２、・・・、Ｇｍのうち２本に１本が電飾表示領域Ｂ２に延伸され、ＴＦＴ１と接続されている。このように、画像表示領域Ａ１のソース配線の一部を電飾表示領域Ｂ２におけるＴＦＴ１に接続することによって、画像表示領域Ａ１の画像表示用画素１１ａと電飾表示領域Ｂ２の電飾用画素１２ｂとを一体的に形成することができる。
【００６０】
次に、本実施形態の液晶表示パネルにおける画素の動作原理について説明する。
図７は、図６で示した本実施形態の液晶表示パネルにおけるソース配線Ｓ１、Ｓ２、・・・、Ｓｎ、Ｓｐに印加される映像信号と、ゲート配線Ｇ１、Ｇ２、・・・、Ｇｍに印加される同期信号との電圧波形の経時変化を示すタイミングチャートの模式図である。なお、図７において、Ｓ１、Ｓ２、・・・、Ｓｎ、Ｓｐ及びＧ１、Ｇ２、・・・、Ｇｍは、図６で示したソース配線Ｓ１、Ｓ２、・・・、Ｓｎ、Ｓｐ及びゲート配線Ｇ１、Ｇ２、・・・、Ｇｍに対応した映像信号及び同期信号である。
【００６１】
図７に示すように、本実施形態の液晶表示パネルにおいても、従来の液晶表示パネルと同様に、線順次走査によって各画素を制御することができる。すなわち、各ゲート配線Ｇ１、Ｇ２、・・・、Ｇｍに印加される同期信号に合わせて、電飾表示領域の画素を制御するための映像信号ＰＳ／Ｇｐが印加されることによって、画像表示領域Ａ１及び電飾表示領域Ｂ２の各画素を一体的に制御することができる。なお、映像信号ＰＳ／Ｇｐは、電飾表示領域Ｂ２に延伸されたゲート配線Ｇ１、Ｇ３、・・・、Ｇｍ−１に同期信号が印加されているときのみ印加されてもよい。
【００６２】
本実施形態の液晶表示パネルによれば、画像表示領域と、列方向に配置された電飾表示領域とを一体的に有することができる。
なお、本実施形態の液晶表示パネル１０２において、電飾表示領域Ｂ２はソース配線Ｓ１側に配置されてもよく、この場合は、図６と同様にして、ソース配線Ｓ１の前にＴＦＴ１を配置すればよい。
【００６３】
以上実施形態１及び２で説明したように、本発明によれば、画像表示領域及び電飾表示領域を有する液晶表示パネルを実現でき、更に、画像表示領域及び電飾表示領域のレイアウトを自由に設計することができる。
なお、画像表示領域内に電飾表示領域を形成する場合には、図８（ａ）及び（ｂ）に示すように、電飾表示領域ＢにおけるＴＦＴ１の配置数を画像表示領域ＡにおけるＴＦＴ１の配置数よりも少なくすればよい。ただし、この場合には、電飾用画素１０ｂに接続されていないゲート配線Ｇ２、Ｇ４、・・・、Ｇｍは、電飾用画素１０ｂを横断し、表示領域を分断しないために、迂回するように配置されることが好ましい。また、本発明において、電飾表示領域は、１つに限らず２以上設けられてもよく、例えば、（１）画像表示領域の対向する両辺の外側に電飾表示領域が２つ配置される形態、（２）画像表示領域の隣り合う２辺の外側に電飾表示領域が２つ配置される形態、（３）画像表示領域の全ての辺の外側に電飾表示領域が４つ配置される形態、画像表示領域のいずれかの辺の外側と画像表示領域内とに電飾表示領域が２つ配置される形態等であってもよい。
【００６４】
（実施形態３）
本発明に係る実施形態３の液晶表示パネルについて説明する。実施形態３の液晶表示パネルは、実施形態１と電飾表示領域における画素の形態が異なるだけなので、実施形態１及び実施形態２で重複する内容については説明を省略する。
本実施形態の液晶表示パネルは、実施形態１の液晶表示パネルと同様に、画像表示領域における画素のサイズよりも電飾表示領域における画素のサイズの方が大きくなっているが、電飾表示領域においてもカラーフィルタが配置されている。これにより、本実施形態の液晶表示パネルは、光源の色によらず、電飾表示領域におけるカラー表示が可能になる。なお、画素領域におけるカラーフィルタの色の種類及び色数は、適宜設定すればよい。
【００６５】
（実施形態４）
本発明に係る実施形態４の液晶表示パネルについて説明する。実施形態４の液晶表示パネルは、実施形態１と電飾表示領域における画素の形態が異なるだけなので、実施形態１及び実施形態４で重複する内容については説明を省略する。
本実施形態の液晶表示パネルは、実施形態１の液晶表示パネルと同様に、電飾表示領域における画素にカラーフィルタが配置されないが、画像表示領域における画素のサイズと電飾表示領域における画素のサイズとが同じになっている。これにより、本実施形態の液晶表示パネルは、実施形態１の液晶表示パネルに比べて、電飾表示領域の表示パターンをより多様化することができる。
【００６６】
（実施形態５）
以下に、図９を用いて、本発明に係る実施形態５のＬＣＤについて説明する。
図９（ａ）は、図９（ｂ）中のＸ−Ｙ線における本実施形態のＬＣＤの断面を示す断面模式図であり、（ｂ）は、全ての電飾表示領域において光源よりの光を透過させた状態における本実施形態のＬＣＤを示す上面模式図であり、（ｃ）は、全ての電飾表示領域において光源よりの光を透過させない（遮光）状態における本実施形態のＬＣＤを示す上面模式図であり、（ｄ）は、一部の電飾表示領域において光源よりの光を透過させた状態における本実施形態のＬＣＤを示す上面模式図である。なお、図９（ｂ）における破線は、電飾表示領域Ｂ５における各画素の境界線を示し、図９（ｂ）〜（ｄ）において、画像表示領域Ａ５における数字は、図柄を示す。
【００６７】
図９（ａ）に示すように、本実施形態のＬＣＤ２０５は、液晶表示パネル１０５と、液晶表示パネル１０５の後方に配置されたバックライト３０５とを備え、液晶表示パネル１０５は、パネル受け機構２に取設されている。バックライト３０５は、エッジライト型バックライトであり、導光板３と、導光板３の側方に配置された光源２５と、導光板３及び光源２５間以外の光源２５の周辺領域に配置され、かつ液晶表示パネル１０５側に透光部５を有する反射板４５と、液晶表示パネル１０５側の導光板３上に配置された光学シート６５と、これらの構成要素を保持するベゼル３５とを有する。これにより、バックライト３０５は、導光板３から射出される通常の面状の光と、透光部５から射出される高輝度の光とを液晶表示パネル１０１に供給することができる。
【００６８】
液晶表示パネル１０５は、図９（ｂ）に示すように、実施形態１の液晶表示パネル１０１と同様の形態を有し、画像表示領域Ａ５と電飾表示領域Ｂ５を有する。電飾表示領域Ｂ５の電飾用画素１５ｂは、カラーフィルタレス化され、かつ画像表示領域Ａ５の電飾用画素１５ａのサイズよりも大きくなっている。また、電飾表示領域Ｂ５は、光源２５の前方領域に設けられる。これにより、電飾表示領域Ｂ５は、光源２５から透光部５を通して直接光が照射されるので、電飾表示領域Ｂ５を高輝度に表示することができる。一方、画像表示領域Ａ５は、導光板３の前方領域に配置されており、導光板３から通常の面状の光を受けて画像表示を行う。
【００６９】
光源２５は、図９（ｂ）に示すように、赤色ＬＥＤ２５Ｒ、緑色ＬＥＤ２５Ｇ及び青色ＬＥＤ２５Ｂで構成され、各色ＬＥＤが順に配置されている。これにより、電飾表示領域Ｂ５における演出効果を向上しつつ、画像表示領域Ａ５に各色の混色である面状の白色光を供給することができる。
【００７０】
導光板３は、光源２５から入射した光を自身の背面にて反射させ、液晶表示パネル１０５側に面状に分散させて射出させるものである。導光板３の材質としては、アクリル系樹脂、ポリカーボネート等が挙げられる。導光板３の断面形状としては、図９（ａ）に示すような楔状の他、長方形等が挙げられる。導光板３は、光の反射効率を向上するために、背面に反射シートが貼り合わされていてもよいし、背面に反射ドット又は段差が形成されていてもよい。
【００７１】
反射板４５は、光源２５から射出される光を導光板の方向に反射するものであり、その材質は特に限定されず、アルミニウム、アルミニウムの光源と向き合う面に反射シートを貼り合わせたもの等が挙げられる。また、反射板４５の断面形状は、図９に示すような略コの字型の他、略Ｃの字型等でもよい。
【００７２】
透光部５は、光を透過する領域であり、開口が形成されている。なお、透光部５の形態としては、開口の他、透明な樹脂を配置する形態、液晶表示パネル１０５側の反射板４を形成しない形態等であってもよい。
【００７３】
光学シート６５は、導光板３から射出された光の光学特性を変化させるためのものであり、より具体的には、光拡散シート、プリズムシート、レンズシート等が挙げられる。なお、光学シート６５は、電飾表示領域Ｂ５の後方にも配置されてもよい。
【００７４】
ここで、本実施形態のＬＣＤの表示態様について説明する。
まず、図９（ｂ）に示すように、電飾表示領域Ｂ５の電飾用画素１５ｂを全て光源よりの光を透過させた状態にすると、光源２５である赤色ＬＥＤ２５Ｒ、緑色ＬＥＤ２５Ｇ及び青色ＬＥＤ２５Ｂが全て遊技者に視認されることとなる。このとき、電飾表示領域Ｂ５を通過する光は、導光板３等の光学部材を経由せず、遊技者に届くことになるので、各ＬＥＤを非常に明るく視認させることができる。一方、画像表示領域Ａ５においては、導光板３及び光学シート６を経由する面状の光によって通常の画像表示がなされることとなる。
【００７５】
また、図９（ｃ）及び（ｄ）に示すように、電飾表示領域Ｂ５における各電飾用画素１５ｂの光源よりの光を透過させた状態と光源よりの光を透過させない（遮光）状態とを適宜変化させることによって、各色ＬＥＤを点灯させたまま、遊技者に各色ＬＥＤを点滅させて視認させることができるので、演出効果の向上を図ることができる。このように、本実施形態のＬＣＤ２０５によれば、エッジライト型バックライトを備えた液晶表示装置において、多様な演出表現を行うことができる。また、光源２５は、画像表示用及び電飾用の光源として利用されることから、遊技機に設置される電飾の数を減らすことができ、遊技機のコストダウンが可能になる。
【００７６】
（実施形態６）
以下に、図１０を用いて、本発明に係る実施形態６のＬＣＤについて説明する。図１０は本実施形態のＬＣＤの断面模式図である。本実施形態のＬＣＤは、実施形態５のＬＣＤとバックライトの形態が異なるだけなので、実施形態６と実施形態５とで重複する内容については、説明を省略する。
【００７７】
図１０に示すように、本実施形態におけるバックライト３０６は、直下型バックライトであり、実施形態５と同様の形態を有する液晶表示パネル１０６側から拡散シート７６及び調光フィルム８６からなる光学シート６６と、光源２６と、これらの構成要素を保持するベゼル３６とをこの順に有する。ただし、調光シート８６は、電飾表示領域Ｂ６の後方には配置されていない。これにより、電飾表示領域Ｂ６における光学シート６６の光透過率を、画像表示領域Ａ６における光学シート６６の光透過率よりも大きくすることができるので、実施形態５のＬＣＤと同様に、電飾表示領域Ｂ６に高輝度の光を供給することができる。なお、ベゼル３６の光源側の内面には、反射シート９６が貼り付けられている。
【００７８】
光源２６は、画像表示領域Ａ６に白色光を供給するために、白色ＬＥＤ２６Ｗが配置されている。ただし、電飾表示領域Ｂ６に対向する後方領域の光源は、電飾としての機能を有していればよいので、白色以外のＬＥＤ５６が配置されている。これにより、電飾表示領域Ｂ６における演出効果を向上することができる。また、白色以外のＬＥＤ５６としては、赤色ＬＥＤ（図示せず）、緑色ＬＥＤ（図示せず）及び青色ＬＥＤ（図示せず）が配置されている。これにより、画像表示領域Ａにおける着色の発生を抑制することができる。
【００７９】
光学シート６６は、拡散シート７６及び調光フィルム８６の他、プリズムシート等を含んでもよい。また、電飾表示領域Ｂ６の後方に光学シート６６を全く配置しない形態としてもよく、これにより、電飾表示領域Ｂ６をより高輝度な光で照射することができるので、本実施形態の液晶表示パネルの電飾としての機能をより向上させることができる。
【００８０】
また、本実施形態のＬＣＤ２０６の表示形態については、図９に示した実施形態５のＬＣＤ２０５と同様に表示することができる。このように、直下型バックライトを備える本実施形態のＬＣＤ２０６も安価に多様な演出表現を行うことができる。なお、本実施形態のＬＣＤ２０６において、電飾表示領域は、図１１に示すように、電飾表示領域Ｂ７が画像表示領域Ａ７を分断するように液晶表示パネル１０７の中央に配置されてもよい。この場合、液晶表示パネル１０７としては、図８で示したような液晶表示パネルを用いればよい。
【００８１】
以上、実施形態１〜６の液晶表示パネル又はＬＣＤを用いることによって、安価に多様な演出表現を行うことができる。このように、本発明のパネル及びＬＣＤは、通常の画像表示と視認者の注意を引くことができる発光とを同時に行う機能を有することから、上述の遊技機用の表示装置に限らず、カーナビゲーションシステム、携帯ゲーム機、携帯電話等の様々な電子機器用の表示装置として好適に使用することができる。
【図面の簡単な説明】
【００８２】
【図１】実施形態１の液晶表示パネルを示す上面模式図である。なお、図１において、破線は、電飾表示領域Ｂ１における各画素の境界線を示し、画像表示領域Ａ１中の数字は、図柄を示す。
【図２】（ａ）は、従来の液晶表示パネルの画像表示領域における画素の配列を示す概念図であり、（ｂ）は、従来の液晶表示パネルの画像表示領域における回路図である。なお、図２において、破線で囲まれた領域は、画像表示領域Ａ１を示す。
【図３】（ａ）は、実施形態１の液晶表示パネルの画像表示領域及び電飾表示領域における画素の配列を示す概念図であり、（ｂ）は、実施形態１の液晶表示パネルの画像表示領域及び電飾表示領域における回路図である。なお、図３において、破線で囲まれた領域は、画像表示領域Ａ１を示し、二点鎖線で囲まれた領域は、電飾表示領域Ｂ１を示す。
【図４】従来の液晶表示パネルにおけるソース配線Ｓ１、Ｓ２、・・・、Ｓｎに印加される映像信号と、ゲート配線Ｇ１、Ｇ２、・・・、Ｇｍに印加される同期信号との電圧波形の経時変化を示すタイミングチャートの模式図である。なお、図４において、Ｓ１、Ｓ２、・・・、Ｓｎ及びＧ１、Ｇ２、・・・、Ｇｍは、図２（ｂ）で示したソース配線Ｓ１、Ｓ２、・・・、Ｓｎ及びゲート配線Ｇ１、Ｇ２、・・・、Ｇｍに対応した映像信号及び同期信号である。
【図５】実施形態１の液晶表示パネルにおけるソース配線Ｓ１、Ｓ２、・・・、Ｓｎに印加される映像信号と、ゲート配線Ｇ１、Ｇ２、・・・、Ｇｍ、Ｇｐに印加される同期信号との電圧波形の経時変化を示すタイミングチャートの模式図である。なお、図５において、Ｓ１、Ｓ２、・・・、Ｓｎ及びＧ１、Ｇ２、・・・、Ｇｍ、Ｇｐは、図３（ｂ）で示したソース配線Ｓ１、Ｓ２、・・・、Ｓｎ及びゲート配線Ｇ１、Ｇ２、・・・、Ｇｍ、Ｇｐに対応した映像信号及び同期信号である。
【図６】（ａ）は、実施形態２の液晶表示パネルの画像表示領域及び電飾表示領域における画素の配列を示す概念図であり、（ｂ）は、実施形態２の液晶表示パネルの画像表示領域及び電飾表示領域における回路図である。なお、図６において、破線で囲まれた領域は、画像表示領域Ａ１を示し、二点鎖線で囲まれた領域は、電飾表示領域Ｂ２を示す。
【図７】実施形態２の液晶表示パネルにおけるソース配線Ｓ１、Ｓ２、・・・、Ｓｎ、Ｓｐに印加される映像信号と、ゲート配線Ｇ１、Ｇ２、・・・、Ｇｍに印加される同期信号との電圧波形の経時変化を示すタイミングチャートの模式図である。なお、図７において、Ｓ１、Ｓ２、・・・、Ｓｎ、Ｓｐ及びＧ１、Ｇ２、・・・、Ｇｍは、図６で示したソース配線Ｓ１、Ｓ２、・・・、Ｓｎ、Ｓｐ及びゲート配線Ｇ１、Ｇ２、・・・、Ｇｍに対応した映像信号及び同期信号である。
【図８】（ａ）は、本発明に係る変形形態１の液晶表示パネルの画像表示領域及び電飾表示領域における画素の配列を示す概念図であり、（ｂ）は、変形形態１の液晶表示パネルの画像表示領域及び電飾表示領域における回路図である。なお、図８において、破線で囲まれた領域は、画像表示領域Ａを示し、二点鎖線で囲まれた領域は、電飾表示領域Ｂを示す。
【図９】（ａ）は、図９（ｂ）中のＸ−Ｙ線における実施形態５のＬＣＤの断面を示す断面模式図であり、（ｂ）は、全ての電飾表示領域において光源よりの光を透過させた状態における実施形態５のＬＣＤを示す上面模式図であり、（ｃ）は、全ての電飾表示領域において光源よりの光を透過させない（遮光）状態における実施形態５のＬＣＤを示す上面模式図であり、（ｄ）は、一部の電飾表示領域において光源よりの光を透過させた状態における実施形態５のＬＣＤを示す上面模式図である。なお、図９（ｂ）における破線は、電飾表示領域Ｂ５における各画素の境界線を示し、図９（ｂ）〜（ｄ）において、画像表示領域Ａ５における数字は、図柄を示す。
【図１０】実施形態６のＬＣＤの断面を示す断面模式図である。
【図１１】本発明に係る変形形態２のＬＣＤの断面を示す断面模式図である。
【図１２】従来のエッジライト型バックライトを備えたＬＣＤの断面を示す断面模式図である。
【図１３】従来の直下型バックライトを備えたＬＣＤの断面を示す断面模式図である。
【符号の説明】
【００８３】
１：ＴＦＴ
２：パネル受け機構
３：導光板
５：透光部
１０ａ、１１ａ：画像表示用画素
１０ｂ、１１ｂ、１２ｂ：電飾用画素
２５、２６、２８、２９：光源
２５Ｒ：赤色ＬＥＤ
２５Ｇ：緑色ＬＥＤ
２５Ｂ：青色ＬＥＤ
２６Ｗ：白色ＬＥＤ
３５、３６、３８、３９：ベゼル
４５、４８：反射板
５６：白色以外のＬＥＤ
６０、６５、６６、６８：光学シート
７６、７９：拡散シート
８０、８６、８９：調光フィルム
９６、９９：反射シート
１００、１０１、１０２、１０５、１０６、１０７、１０８、１０９：液晶表示パネル
２０５、２０６、２０８、２０９：ＬＣＤ
３０５、３０６、３０８、３０９：バックライト
Ａ、Ａ１、Ａ３、Ａ４、Ａ５、Ａ６、Ａ７：画像表示領域
Ｂ、Ｂ１、Ｂ２、Ｂ３、Ｂ４、Ｂ５、Ｂ６、Ｂ７：電飾表示領域
Ｓ１、Ｓ２、・・・、Ｓｎ、Ｓｐ：ソース配線
Ｇ１、Ｇ２、・・・、Ｇｍ、Ｇｐ：ゲート配線
ＣＬＣ：液晶容量
ＣＣＳ：蓄積容量
【図１】
2007256840.tif 000003
【図２】
2007256840.tif 000004
【図３】
2007256840.tif 000005
【図４】
2007256840.tif 000006
【図５】
2007256840.tif 000007
【図６】
2007256840.tif 000008
【図７】
2007256840.tif 000009
【図８】
2007256840.tif 000010
【図９】
2007256840.tif 000011
【図１０】
2007256840.tif 000012
【図１１】
2007256840.tif 000013
【図１２】
2007256840.tif 000014
【図１３】
2007256840.tif 000015